(57)【特許請求の範囲】
【請求項１】
水平に係脱可能な保持部材１０と差込部材１１とを合成樹脂から成形し、両部材１０，１１の下端を互いに重合し、かつ摺接回動できる摺接板１２，１３を一体に設け、該摺接板１２，１３の重合面１４，１５に凹陥部２８，２８′を設け、該凹陥部２８，２８′の周縁に小突条２９，２９′を内方へ突設し、凹陥部２８，２８′内へ磁石１８，１８′を圧入して配設し、一方の摺接板１２の凹陥部２８の中央に凸部２５を突設し、他方の摺接板１３の凹陥部２８′の中央に突出柱３３を設け、該突出柱３３の頂面に凸部２５が嵌合できる凹部２６を設け、磁石１８，１８′は、凸部２５および突出柱３３が挿通できる透孔２３，２３′を設けたことを特徴とするスライドファスナー用開離嵌挿具。
【発明の詳細な説明】
【０００１】
【発明の属する技術分野】
この発明は、スライドファスナーの開離嵌挿具に関するもので、ファスナーストリンガーの下端に取り付けた開離嵌挿具は、一方がスライダーを保持できる保持部材、他方が保持部材に差し込むことができる差込部材から形成され、保持部材と差込部材はファスナー面に対して表裏から重合し、かつ回動させて、ファスナーの横方向から保持部材と差込部材とを衝合させることによって、スライダー内へファスナーストリンガーを嵌入装備できる、サイドオープンタイプのスライドファスナーの開離嵌挿具に関するものである。
【０００２】
【従来の技術】
従来、ファスナーチエンのサイドから開離嵌挿操作ができるサイドオープンタイプの開離嵌挿具は、図１１に示すように左右のファスナーストリンガーの下端にピンを突設した保持部材と、ソケットを設けた差込部材とをピンとソケットを係合させることによって、スライダーの側方からファスナーストリンガーを嵌入し閉鎖させるサイドオープンタイプの開離嵌挿具が知られている。（例えば、特許文献１参照）
また図１２に示すように、ファスナーチエンの一方のファスナーストリンガーの下端に側面に差込凹溝を設けた結合片（保持部材）を設け、先端に円板状の基部の中央にスナップタイプの突起を突設した雄係合部を設け、他方のファスナーストリンガーの下端に差込凹溝に差し込むことができる差込部を有する係止片（差込部材）を設け、係止片の先端に円板状の基部の中央にスナップタイプの凹孔の雌係合部を設け、雌係合部と雄係合部とを係合させた後、係止片を回動させて差込部をスライダーのフランジ間および差込凹部に差し込みスライダーを引き上げると、ファスナーチエンを閉鎖できる開離嵌挿具が知られている。（例えば、特許文献２参照）
【０００３】
【特許文献１】
アメリカ特許第４１３９９２７号明細書（４欄、図１〜４）
【０００４】
【特許文献２】
特開２０００−２３２９０８号公報
（段落番号００２２〜００２８、図１〜６）
【０００５】
【発明が解決しようとする課題】
前項で述べた特許文献１および特許文献２に開示されたスライドファスナーの開離嵌挿具は、共に左右のファスナーストリンガーの下端に設けたファスナー面に直角状に配したピンとソケット、あるいは突起と凹孔とを整合させた後に、ピンとソケット、あるいは突起と凹孔を係合させねばならないため、開離嵌挿具における整合操作および係合操作がきわめて面倒であり、特に子供、老人にとっては難儀な操作であるなど問題点がある。
【０００６】
この発明は、上述の問題点を考慮して発明されたものであり、請求項１記載の発明は、ファスナーチエンの端部に取り付けた開離嵌挿具が、一方のファスナーストリンガーの下端に取り付けたスライダーを保持できる保持部材と、他方のファスナーストリンガーの下端に取り付け、保持部材に対向側面から差し込むことができる差込部材とを、それぞれ保持部材と差込部材の一部に設けた摺接板を重合し、かつ回動させることによって、保持部材と差込部材とを組み合わせてスライダーを摺動させるサイドオープンタイプの開離嵌挿具において、保持部材と差込部材の摺接板に磁性体を配して、簡単に摺接板を吸引させ、所定位置に確実に重合させ、スライドファスナーの開離嵌挿具をサイドオープンタイプで容易に操作できるスライドファスナーの開離嵌挿具を提供することが主たる目的である。
【０００７】
【課題を解決するための手段】
前記の目的を達成するため、この発明の請求項１記載の発明は、スライドファスナーにおける開離嵌挿具において、水平状に係脱できる保持部材１０と差込部材１１とを合成樹脂から形成し、保持部材１０と差込部材１１との下端を互いに重合し、かつ摺接して回動できる摺接板１２，１３を両部材１０，１１と一体に設け、摺接板１２，１３の重合面１４，１５に凹状の凹陥部２８，２８′をそれぞれ設け、この凹陥部２８，２８′の入口周縁に小突条２９，２９′を内方へ向けて突出するように設け、凹設した凹陥部２８，２８′内へ磁石１８，１８′を押圧して嵌め込み、一方の摺接板１２の凹陥部２８の中央に凸状に突出する凸部２５を設け、他方の摺接板１３の凹陥部２８′の中央に凸状に突出する突出柱３３を設け、この突出柱３３の頂面に凸部２５が嵌合することができる凹状の凹部２６を設け、凹陥部２８，２８′に収容した磁石１８，１８′は、凸部２５および突出柱３３が挿通することができる透孔２３，２３′をそれぞれ設けたスライドファスナー用開離嵌挿具を主な構成とするものである。
【０００８】
【発明の実施の形態】
以下、この発明のスライドファスナー用開離嵌挿具の実施の形態について、図面を参照しながら具体的に説明する。
【０００９】
この発明のスライドファスナーの開離嵌挿具は、図１に示すようにファスナーチエン１の下端に開離嵌挿具３を取り付け、開離嵌挿具３は図２に示すように一方がファスナーチエン１を左右に分離したとき、スライダー６をファスナーストリンガー２に保持することができる保持部材１０をファスナーストリンガー２の下端に取り付け、他方が保持部材１０の側面へ嵌入することができる差込部材１１を他のファスナーストリンガー２′の下端に取り付け、保持部材１０と差込部材１１との先端に表裏方向において重合できる円板状の摺接板１２，１３をそれぞれ一体に設け、かつ摺接板１２，１３が重合する重合面１４，１５に磁気を有する磁性体１７、１７′を配設して摺接板１２，１３を磁気作用によって吸引し、かつ左右に所定の角度回動させることができるように形成する。
【００１０】
ファスナーチエン１は、ファスナーテープ４，４′の一側縁に各種タイプのファスナーエレメント５，５′を取り付け、左右のファスナーストリンガー２、２′の下端に熱可塑性樹脂フィルムの補強テープ７，７′を貼着して補強し、この補強テープ７，７′部分に図２に示すように開離嵌挿具３として、一方のファスナーストリンガー２にスライダー６を保持できる保持部材１０、他方のファスナーストリンガー２′に保持部材１０の側面へ嵌入できる差込部材１１をポリアミド、ポリアセタール、ポリプロピレン、ポリブチレンテレフタレートなどの熱可塑性樹脂、またはユリア樹脂、メラミン樹脂などの熱硬化性樹脂を用いて射出成形加工によって一体に成形する。
【００１１】
保持部材１０は図３に示すように、保持部材１０の下端先端に円板状の摺接板１２を一体に設け、摺接板１２の重合面１４には磁性体１７として磁石１８を配設している。摺接板１２は図３，５に示すように、中央に凸部２５を突設し、凸部２５の周辺には凹陥部２８を凹設し、この凹陥部２８に磁石１８を圧入して保持する。磁石１８を保持するため凹陥部２８の入口周縁に磁石１８を保持することができる小突起状の小突条２９を内方へ突出する形で設ける。この小突条２９を設置するため、射出成形の際アンダカット手段によって、小量内側へ突出する形に設ける。また重合面１４において凹陥部２８の周縁近くに浅めの凹溝３０を刻設し、小突条２９の成形の際のコアの抜脱を容易にする。
【００１２】
一方凹陥部２８に圧入する磁石１８は、図５に示すように円板状で中央に凸部２５が挿通できる透孔２３を穿設し、下面の周縁は小突条２９に対面する部分を小突条２９の周縁よりも小径とし、磁石１８の側面はテーパーを付け、上面周縁が小突条２９の内周よりもやや大きく断面鋭角状を呈する係止縁２４を形成し、磁石１８を摺接板１２の凹陥部２８に重合面１４側から圧入し、係止縁２４を凹陥部２８内へ係止して保持する。
【００１３】
なお、保持部材１０は、図３に示すようにスライダー６を挿入し保持できる分厚い保持部３１を一側に形成し、この保持部３１の側面に差込部材１１の差込板３８が嵌入できる差込凹溝３４を設ける。保持部３１の外側には、スライダー６のフランジが挿通できるガイド面３６を設け、この外側にスライダー６の側面外形と同じ形状をした分厚い外郭部３５を設け、外郭部３５の下端に、スライダー６を停止させることができる外郭部３５と同厚の停止部３７を設置する。
【００１４】
差込部材１１は、図４に示すように差込部材１１の下端に円板状の摺接板１３を一体に設け、摺接板１３の重合面１５に磁性体１７′として磁石１８′を配設している。摺接板１３は図４，６に示すように、中央に保持部材１０の凸部２５が当接できる凹部２６を頂面に設けた突出柱３３を設け、突出柱３３は凹部２６の周囲に面取り部３９を設けて凸部２５のガイドを容易にする。この突出柱３３の周囲には凹溝状の凹陥部２８′を設け、この凹陥部２８′の入口周縁に保持部材１０と同様に磁石１８′を保持することができる小突起状の小突条２９′と凹溝３０′を設ける。
【００１５】
凹陥部２８′に圧入する磁石１８′は、図６に示すように保持部材１０の磁石１８と同様に円板状で中央に突出柱３３が挿通できる透孔２３′を穿設し、上面の周縁は小突条２９′に対面し挿入し易い形の小径に形成し、磁石１８′の周面はテーパーを付けて下面周縁が小突条２９′の内周よりも大きく断面鋭角状を呈する係止縁２４′を形成し、凹陥部２８′に磁石１８′を圧入したとき、凹陥部２８′に係止縁２４′を係止して保持できる。
【００１６】
なお差込部材１１は、図４に示すように、保持部材１０の差込凹溝３４に嵌入でき、かつスライダー６のフランジ間に挿入できる厚さを有する差込板３８を設け、この差込板３８の外側にスライダー６の側面外形と同形の分厚い外郭部３５′を設け、外郭部３５′の下端にスライダー６を停止させる外郭部３５′と同厚の停止部３７′を設置する。
【００１７】
保持部材１０と差込部材１１の使用態様について説明すると、分離されている左右のファスナーストリンガー２、２′の一方のファスナーストリンガー２の保持部材１０の保持部３１にスライダー６を保持した状態で、保持部材１０と差込部材１１の摺接板１２，１３を表裏方向から重合する形で近付けると、双方に配した磁石１８、１８′によって摺接板１２，１３が自動的に吸引し重合すると同時に、摺接板１２，１３の中央に設けた凸部２５と凹部２６とが嵌合し、図７に示すように正しい位置で重合する。重合した後、図８に示すように、差込部材１１の差込板３８を保持部材１０に挿通されているスライダー６のフランジ間に嵌入し、さらに保持部３１の差込凹溝３４へ嵌入するように差込部材１１を回動させて、スライダー６内へ差込部材１１を備えたファスナーストリンガー２′を挿入した後、スライダー６を引き上げると図１に示すようにファスナーエレメント５，５′が噛合して左右のファスナーストリンガー２，２′は閉鎖される。
【００１８】
ファスナーチエン１を分離開放するには、スライダー６を開離嵌挿具３へ向けて引き下げスライダー６を停止部３７，３７′に当接させた後、差込部材１１を保持部材１０から引き離す形で回動させ、差込板３８をスライダー６から脱出させたところで、磁石１８、１８′の吸引力に抗して摺接板１３を摺接板１２から引き離して分離するとファスナーストリンガー２，２′は分離する。
【００１９】
上記の使用態様からして保持部材１０の摺接板１２と差込部材１１の摺接板１３とを磁石１８、１８′によって正確に吸引させるため、保持部材１０と差込部材１１とを近接させた位置において、磁石１８，１８′が強力に吸引できるように磁石１８，１８′をそれぞれの摺接板１２，１３に配することが必要であり、場合によっては、摺接板１２、摺接板１３とを離脱させたい位置へ回動したとき配設した磁石１８，１８′が離反する作用が生ずるように形成し、自動的に摺接板１２，１３を離脱させてもよい。
【００２０】
図９，１０に示す開離嵌挿具３は、保持部材１０と差込部材１１における摺接板１２，１３の重合面１４，１５には前述の各種タイプの磁性体１７，１７′を装着して表裏方向へ吸引可能に形成する。そして摺接板１２，１３に近い個所の保持部材１０と差込部材１１における対向面、すなわち保持部材１０の保持部３１に形成された差込凹溝３４と、差込部材１１の差込凹溝３４に挿入できる差込板３８の対向面に、それぞれ凹窩部４１，４１′を設け、この凹窩部４１，４１′に磁性体１７，１７′としての磁石１８，１８′を嵌入して接着剤２１，２１′で接着することによって磁石１８，１８′を吸引可能に形成する。
【００２１】
開離嵌挿具３の操作は、開放状態のファスナーチエン１を閉鎖するため、左右のファスナーストリンガー２，２′の摺接板１２，１３を表裏から重合させると、摺接板１２，１３に装着した磁石１８，１８′の吸引作用によって容易に摺接板１２，１３を吸着させ、その後左右のファスナーストリンガー２，２′を回動させながら引き寄せ、一方のファスナーストリンガー２の保持部材１０の保持部３１に保持されているスライダー６のフランジ間に差込部材１１の差込板３８を挿入すると、対向面に設置した凹窩部４１，４１′の磁石１８，１８′の吸引作用によって、保持部材１０と差込部材１１とを容易に密着させることができるので、スライダー６の閉鎖始動が容易にでき、ファスナーチエン１を閉鎖することができる。
【００２２】
閉鎖状態のファスナーチエン１を分離開放するには、スライダー６を開離嵌挿具３の保持部材１０と差込部材１１とに設けたスライダー６の停止部３７，３７′にまで引き下げて、保持部材１０と差込部材１１とを磁石１８，１８′の吸引力に抗して左右に引き離して回動させた後、摺接板１２，１３を表裏に分離させればファスナーチエン１を分離開放させることができる。
【００２３】
この発明における磁性体は、同一の磁性体の組み合わせのみでなく、磁石と磁性シート、磁石と磁性塗料、または磁性シートと磁性塗料、あるいは磁性体と鉄板などを組み合わせて使用することができる。
【００２４】
【発明の効果】
この発明のスライドファスナー用開離嵌挿具は、以上説明したとおりの構成であり、この構成によって下記の効果を奏するものである。
【００２５】
この発明の請求項１記載の発明は、水平に係脱可能な保持部材と差込部材とを合成樹脂から形成し、両部材の下端を互いに重合し、かつ摺接回動できる摺接板を一体に設け、該摺接板の重合面に凹陥部を設け、該凹陥部の周縁に小突条を内方へ突設し、凹陥部内へ磁石を圧入して配設し、一方の摺接板の凹陥部の中央に凸部を突設し、他方の摺接板の凹陥部の中央に突出柱を設け、該突出柱の頂面に凸部が嵌合できる凹部を設け、磁石は凸部および突出柱が挿通できる透孔を設けたことによって、下記の効果を奏する。
【００２６】
左右のファスナーストリンガーに分離開放できるサイドオープンタイプのスライドファスナーにおいて、左右のファスナーストリンガーの端部に設けた保持部材と差込部材とを、磁性体を用いて自動的に吸引し、両部材の整合操作および閉鎖操作をきわめて簡易に行なうことができる。摺接板に配する磁石は、摺接板の凹陥部に圧入し、取り付けが簡単にでき、また摺接板の一方は凸部、他方は凹部に形成することにより、摺接板を的確に嵌合させることができる。さらに保持部材と差込部材との操作は、片手でも操作ができ、子供および老人でも容易に使用できる効果があるなど、この発明が奏する効果はきわめて顕著である。
【図面の簡単な説明】
【図１】  サイドオープンタイプの開離嵌挿具を備えたスライドファスナーの正面図である。
【図２】  左右のファスナーストリンガーを分離した状態の保持部材、差込部材の斜視図である。
【図３】  保持部材の正面図である。
【図４】  差込部材の背面図である。
【図５】  図３におけるＡ−Ａ断面図である。
【図６】  図４におけるＢ−Ｂ断面図である。
【図７】  ファスナーチエンの拡開状態を示す正面図である。
【図８】  ファスナーチエンにおける閉鎖直前の状態を示す正面図である。
【図９】  保持部材と差込部材との対向面に磁石を埋設し、一部を切欠した開離嵌挿具の正面図である。
【図１０】  図２３におけるＥ−Ｅ断面図である。
【図１１】  公知のサイドオープンタイプのファスナーチエンの正面図である。
【図１２】  他の公知のサイドオープンタイプのファスナーチエンの分離斜視図である。
【符号の説明】
１０            保持部材
１１            差込部材
１２            摺接板（保持部材）
１３            摺接板（差込部材）
１４            重合面（保持部材）
１５            重合面（差込部材）
１７，１７′    磁性体
１８，１８′    磁石
２５            凸部
２６            凹部
２８，２８′    凹陥部
２９，２９′    小突条
【図１】
0004152216.tif 000002
【図２】
0004152216.tif 000003
【図３】
0004152216.tif 000004
【図４】
0004152216.tif 000005
【図５】
0004152216.tif 000006
【図６】
0004152216.tif 000007
【図７】
0004152216.tif 000008
【図８】
0004152216.tif 000009
【図９】
0004152216.tif 000010
【図１０】
0004152216.tif 000011
【図１１】
0004152216.tif 000012
【図１２】
0004152216.tif 000013